(57)【特許請求の範囲】
【請求項１】
筐体と、
前記筐体に対して回転可能に保持されたダイヤルと、
前記ダイヤルの回転に伴って回転する磁石と、
前記筐体内に配置され、前記磁石の回転を検知する磁気センサと、を備え、
前記磁石及び磁気センサは、壁部を挟んで異なる領域に配置され、
前記磁石の回転軸方向から見ると前記磁石と前記磁気センサは重なっており、
前記磁気センサは検出方向を有し、前記検出方向と前記磁石の磁束の向きが平行である場合は出力し、前記検出方向と前記磁石の磁束の向きが垂直である場合は出力しない、
回転ダイヤル装置。
【請求項２】
前記筐体は、開口を有しており、
前記壁部は、断面の少なくとも一部がコの字形状に形成され、前記開口を前記筐体の内側から覆うように前記筐体に保持されており、
前記ダイヤルは、前記壁部の内側に配置される、
請求項１に記載の回転ダイヤル装置。
【請求項３】
前記壁部は、弾性部材を介して前記筐体に保持される、
請求項２に記載の回転ダイヤル装置。
【請求項４】
前記ダイヤルと一体で回転する第１のギヤと、
前記第１のギヤと係合し、前記第１のギヤと異なる径を有する第２のギヤと、を有し、
前記磁石は、前記第２のギヤと一体で回転する、
請求項１〜３に記載の回転ダイヤル装置。
【請求項５】
前記第２のギヤの径は、前記第１のギヤの径より小さく形成されている、
請求項４に記載の回転ダイヤル装置。
【請求項６】
筐体と、
前記筐体に対して回転可能に保持されたダイヤルと、
前記ダイヤルの回転に伴って回転する磁石と、
前記筐体内に配置され、前記磁石の回転を検知する磁気センサと、を備え、
前記磁石及び磁気センサは、壁部を挟んで異なる領域に配置され、
前記筐体は、開口を有しており、
前記壁部は、断面の少なくとも一部がコの字形状に形成され、前記開口を前記筐体の内側から覆うように前記筐体に保持されており、
前記ダイヤルは、前記壁部のコの字形状の内側に配置される、
回転ダイヤル装置。
【発明の詳細な説明】
【技術分野】
【０００１】
本開示は、デジタルカメラ等の電子機器に配置可能な回転ダイヤル装置に関する。
【背景技術】
【０００２】
特許文献１には、つまみ１回転当たりにロータリーエンコーダが発生するパルス数を任意に設定することができ、しかも、選択した曲についての演奏開始等の処理を指示する操作子をつまみと一体的に配置する操作子が開示されている。
【先行技術文献】
【特許文献】
【０００３】
【特許文献１】特開平８−７７６９４号公報
【発明の概要】
【発明が解決しようとする課題】
【０００４】
本開示は、高い防滴性能を有する回転ダイヤル装置を提供する。
【課題を解決するための手段】
【０００５】
本開示に係る回転ダイヤル装置は、筐体と、筐体に対して回転可能に保持されたダイヤルと、ダイヤルの回転に伴って回転する磁石と、筐体内に配置され、磁石の回転を検知する磁気センサと、を備え、磁石及び磁気センサは、壁部を挟んで異なる領域に配置される。
【発明の効果】
【０００６】
本開示によれば、高い防滴性能を有する回転ダイヤル装置を実現できる。
【図面の簡単な説明】
【０００７】
【図１】本開示の実施の形態１に係るカメラボディの前面斜視図
【図２】本開示の実施の形態１に係るカメラボディの背面斜視図
【図３】本開示の実施の形態１に係るカメラボディの回転ダイヤルの分解斜視図
【図４】本開示の実施の形態１に係るカメラボディの回転ダイヤルの要部構成図
【図５】本開示の実施の形態１に係る回転ダイヤルの垂直断面図
【図６】本開示の実施の形態１に係るカメラボディ及び回転ダイヤルの垂直断面図
【図７】本開示の実施の形態１に係るカメラボディの要部水平断面図
【図８】磁気センサによる一般的な回転検出原理を説明するための模式図
【図９】本発明の実施の形態１に係る回転ダイヤルの増速機構と回転検出の方法を説明するための概略図
【図１０】本発明の実施の形態１に係る回転検出部及び制御部の要部回路構成図
【図１１】制御部における回転検出の概要を示す図
【図１２（ａ）】制御部における回転方向検出のフローチャート
【図１２（ｂ）】制御部における回転方向検出のテーブル
【図１３】本開示の実施の形態２に係るカメラボディの垂直断面図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために、提供されるのであって、これらにより特許請求の範囲に記載の主題を限定することは意図されていない。
【００１０】
また、以下の実施の形態では、本開示に係る回転ダイヤル機構が実装された機器として、デジタルカメラを例に挙げて説明する。以下、実施の形態１〜２を各章で説明する。
【００１１】
〔１．実施の形態１（図１〜９）〕
図１は、実施の形態１にかかるデジタルカメラの前方の斜視図である。図１では、カメラボディ１０を示しており、交換レンズは図示していない。図２は、実施の形態１にかかるカメラボディ１０の後方の斜視図である。実施の形態１に係るカメラボディ１０は、ボディマウント１１と、レリーズボタン１２と、ＥＶＦ１３と、モニタ１４と、ケース１５と、回転ダイヤルユニット２０を有する。
【００１２】
以下の説明では、デジタルカメラの天面側を上（上方）と称する。また、以下の説明では、上方とは反対の方向を下（下方）と称する。また、以下の説明では、デジタルカメラの被写体側を前（前方）、撮影者側を後（後方）と称する。
【００１３】
ボディマウント１１は、カメラボディ１０に装着される交換レンズを、機械的及び電気的にカメラボディ１０に接続する。ボディマウント１０は交換レンズと接続される際の電気接点を有し、カメラボディ１０と交換レンズとで通信可能に構成されている。
【００１４】
レリーズボタン１２は、半押し状態と全押し状態の二段階押下式釦である。レリーズボタン１２が使用者により半押しされると、デジタルカメラは撮影条件を決定する。続いて、レリーズボタン１２が、使用者により全押しされると、デジタルカメラは、撮影処理を行う。デジタルカメラは、全押しのタイミングに、交換レンズを通じて撮像素子に結像された画像データを静止画としてメモリカード等に記録する。
【００１５】
ＥＶＦ１３は、撮像素子により所得された画像等を表示するデバイスである。ＥＶＦ１３の近傍には接眼検知部が備えられており、デジタルカメラは、接眼検知部の検知結果に応じて、画像をＥＶＦ１３に表示させるかモニタ１４に表示させるかを選択する。
【００１６】
モニタ１４は、撮像素子により取得された画像等を表示するデバイスである。モニタ１４及びＥＶＦ１３には、撮像素子により取得された画像の他に、シャッタースピードや絞り値等の撮影条件を表示することができる。
【００１７】
ケース１５は、カメラボディ１０の各要素を外周面または内部に保持する。筐体は、金属や樹脂で成形され、カメラボディ１０内部に水や埃が進入することを防ぐ。
【００１８】
回転ダイヤルユニット２０は、カメラボディ１０の背面に配置される回転操作系である。回転ダイヤルユニット２０は、シャッタースピードや絞り値を調整するための回転式の操作手段である。使用者が回転ダイヤルユニット２０を回転操作することで、所望のシャッター速度や絞りの値を設定可能である。本実施の形態の回転ダイヤルユニット２０は、リアダイヤルとも称される。回転ダイヤルユニット２０の回転方向及び回転量は、回転検出部３０（図３等参照）により検出される。
【００１９】
〔１−１．構成〕
図３は、実施の形態１に係る回転ダイヤルユニット２０及び回転検出部３０の分解斜視図である。図４は、実施の形態１に係る回転ダイヤルユニット２０及び回転検出部の要部構成図である。回転ダイヤルユニット２０はダイヤル２１０、クリックプレート２２０、クリックボール２３０、クリックばね２４０、ダイヤルホルダー２５０、磁石ホルダー２６０及び抜け止め部２７０を有する。回転検出部３０は、基板３１及び磁気センサ３２を有する。
【００２０】
まず、回転ダイヤルユニット２０及び回転検出部３０の各構成要素について説明する。
【００２１】
ダイヤル２１０は、略円筒形に形成されている。ダイヤル２１０の下方には、ダイヤルホルダー２５０に形成されたダイヤル軸受２５１に挿通する突起（軸）が形成されている。ダイヤル２１０は、ダイヤルホルダー２５０に対して、軸Ｘ周りに回転可能である。ダイヤル２１０の外周面には、複数の突起が形成されており、使用者が回転ダイヤルユニット２０を回転操作する際の滑り止めの役割を果たす。
【００２２】
クリックプレート２２０は、金属等で形成された板状の部材である。クリックプレート２２０の周上には、クリック溝２２１が形成されている。クリック溝２２１は滑らかな凹凸形状となっている。クリックプレート２２０の下方には、第１のギヤ２２２が保持されており、第１のギヤ２２２はダイヤル２１０と一体に軸Ｘ周りに回転する。クリックプレート２２０の周上には位置決め用突起２２３が形成されており、ダイヤル２１０内側の溝と係合する。なお、第１のギヤ２２２は、クリックプレート２２０と一体に形成されていても構わない。
【００２３】
クリックボール２３０は、球状の部材である。クリックボール２３０は、ダイヤルホルダー２５０に形成されたばね保持部２５２内でクリックばね２４０によって上方に付勢されている。
【００２４】
クリックばね２４０は、弾性を有する部材である。クリックばね２４０は、ダイヤルホルダー２５０に形成されたばね保持部２５２内でクリックボール２３０を上方に付勢する。
【００２５】
ダイヤルホルダー２５０は、樹脂等で成形された略円筒状の部材である。ダイヤルホルダー２５０の内部には、ダイヤル軸受２５１、ばね保持部２５２、ギヤ台板２５３が形成されている。ダイヤル軸受２５１は、略円筒状に中空形成されている。ダイヤル軸受２５１は、ダイヤル２１０に形成された軸を挿通保持する。ばね保持部２５２は、略円筒状に中空形成されている。ばね保持部２５２は、内部でクリックばね２４０及びクリックボール２３０を保持する。ばね保持部２５２は、クリックばね２４０及びクリックボール２３０を保持するのに十分な高さで形成されており、クリックボール２３０がばね保持部２５２の外側に出てしまうことを防ぐ。ギヤ台板２５３は、ダイヤルホルダー２５０内に略円筒形状に形成され、磁石ホルダー２６０を回転軸Ｙ周りに回転可能に保持する。ギヤ台板２５３は、ダイヤル軸受２５１と対向する面の一部に切欠部２５３１を有する。切欠部２５３１から、後述する第２のギヤ２６１が一部露出する。
【００２６】
磁石ホルダー２６０は、樹脂等で成形された略円筒形状の部材である。磁石ホルダー２６０は、上方に第２のギヤ２６１を一体的に保持する。磁石ホルダー２６０は、下方に磁石２６２を一体的に保持する。磁石２６２の保持は、たとえば両面テープ等を用いて貼り付けることで実現できる。第２のギヤ２６１が回転軸Ｙ周りに回転することで、磁石ホルダー２６０及び磁石２６２が一体となって回転する。磁石ホルダー２６０の下方には、磁石２６２の位置決め用の切欠き等が形成されている。なお、第２のギヤ２６１は磁石ホルダー２６０と一体に形成されていても構わない。
【００２７】
抜け止め部２７０は、中央に凹部を有する、略円筒状の部材である。抜け止め部２７０は、中央に形成された凹部が回転ダイヤル２１０の軸と係合した後、下方から螺着される。
【００２８】
基板３１は、片面或いは両面に電気回路が形成されている。基板３１の下方には磁気センサ３２が保持されている。磁気センサ３２は、磁場（磁界）の大きさや方向を計測するセンサであり、磁気抵抗効果素子等で実現できる。基板３１には、磁気センサ３２から得られる検出信号を、デジタルカメラの制御部に伝達するための回路が形成されている。
【００２９】
次に、各構成要素の配置関係について説明する。
【００３０】
ダイヤル２１０の下方に形成された軸はダイヤル軸受２５１に係合する。ダイヤル２１０は、ダイヤル軸受２５１に挿通した状態で抜け止め部２７０に螺着される。これによりダイヤル２１０はダイヤルホルダー２５０に対し回転自在に保持される。
【００３１】
ダイヤル２１０にはクリックプレート２２０が保持される。位置決め突起２２３がダイヤル２１０に形成された溝（非図示）に嵌まり込むため、クリックプレート２２０とダイヤル２１０との間で位相のずれが生じることを抑制する。すなわち、クリックプレート２２０は、ダイヤル２１０と一体となって軸Ｘ周りに回転する。
【００３２】
ダイヤルホルダー２５０は後述する止水壁４２（壁部の一例）に保持される。これにより、ダイヤルホルダー２５０は止水壁４２に対して回転することが規制される。
【００３３】
クリックボール２３０はクリックばね２４０により上側へ付勢され、クリックプレート２２０に形成されたクリック溝２２１へ接触する。クリック溝２２１は滑らかな凹凸形状となっており、使用者がダイヤル２１０を回転させた際にはクリックボール２３０がこの溝に沿って移動する。これにより使用者にクリック感触を与える。
【００３４】
図５は回転ダイヤルユニット２０、回転検出部３０及び止水壁４２（後述）の断面図である。
【００３５】
ダイヤルホルダー２５０はギヤ台板２５３を有し、ギヤ台板２５３には切欠部２５３１、ギヤ回転軸２５３２が形成されている。磁石ホルダー２６０は、ギヤ回転軸２５３２を中心に、回転軸Ｙ周りに回転する。切欠部２５３１において第２のギヤ２６１が一部ギヤ台板２５３から露出し、第１のギヤ２２２と第２のギヤ２６１がかみ合う。これにより、第１のギヤ２２２の回転に伴って第２のギヤ２６１が回転する。
【００３６】
磁石ホルダー２６０はダイヤルホルダー２５０に回転自在に保持される。磁石ホルダー２６０の上方には第２のギヤ２６１が形成されている。磁石ホルダー２６０は磁石２６２を一体保持する。これにより、第２のギヤ２６１の回転と共に、磁石２６２が回転する。
【００３７】
次に、回転ダイヤルユニット２０、回転検出部３０、及びカメラボディ１０（ケース１５、止水壁４２）の配置関係について、図６を用いて説明する。以下の説明では、止水壁４２で囲われた領域をカメラ外部と称し、止水壁４２で覆われておらず、かつケース１５で覆われた領域をカメラ内部と称する。
【００３８】
図６は実施の形態１に係るカメラボディ１０の、回転ダイヤルユニット２０を有する面の垂直断面図である。止水壁４２は、断面の少なくとも１部がコの字形状に形成されている。ケース１５は開口を有しており、開口をケース１５の内側から覆うように止水壁４２が配置されている。回転ダイヤルユニット２０は、止水壁４２のコの字形状の内側に保持される。止水壁４２は、ケース１５に弾性部材４１を挟んで螺着される。
【００３９】
図７は、止水壁４２がケース１５に保持される際の上方から見た概略図である。止水壁４２は、上方から見て接触面４２１と凹面４２２を有する。ケース１５止水壁４２は凹面４２２において弾性部材４１を圧縮しながら、接触面４２１においてケース１５に螺着される。これにより、弾性部材４１は、カメラ外部からカメラ内部への水の浸入を防ぐ。回転ダイヤルユニット２０は止水壁４２を隔ててカメラ外部へ、回転検出部３０は止水壁４２を隔ててカメラ内部へ配置される。ケース１５これにより、回転ダイヤルユニット２０に比べて高い防滴性が求められる回転検出部３０と、水の浸入による影響の少ない回転ダイヤルユニット２０とを、止水壁４２を隔ててカメラ内部及びカメラ外部に配置することができる。従って、デジタルカメラの回転ダイヤルユニット２０周りの防滴性が向上する。
〔１−２．動作と効果〕
〔１−２−１．磁気センサによる一般的な回転検出原理〕
図８は本実施形態で使用する磁気センサ３２による一般的な回転検出の原理を説明するための模式図である。磁気センサ３２には検出方向が存在し、検出方向に平行な磁束が印加された際（図８（ｂ））には出力が生じ、検出方向に垂直な磁束が印加された際（図８（ａ））には出力がなくなる。すなわち、１個の磁気センサ３２では９０度刻みでの磁束の向きの変化を検出することしかできない。
〔１−２−２．増速機構〕
図９は本発明の実施の形態１に係る回転ダイヤルの増速機構と回転検出の方法を説明するための上面図である。本実施形態では、磁気センサ３２として、第１の磁気センサ３２１及び第２の磁気センサ３２２を使用する。第１の磁気センサ３２１と第２の磁気センサ３２２それぞれの中心と、回転軸Ｙとを結ぶ直線（一点鎖線）は、４５度の傾斜角を有している。すなわち、第１の磁気センサ３２１と第２の磁気センサ３２２はそれぞれの検出方向が回転軸Ｙを中心に４５度傾いた位置関係で配置される。また、本実施の形態では第１の磁気センサ３２１と第２の磁気センサ３２２を同一平面状に配置するために、それぞれの磁気センサが磁石２６２の回転中心Ｙから離れた位置に配置される。これにより、回転検出部３０は、Ｙ軸方向の厚さを薄く形成することが可能となる。１−２−１で述べたように、１個の磁気センサにより検出可能な磁束の向きの変化は９０度刻みであるが、このように磁気センサ３２１及び磁気センサ３２２の検出方向を４５度傾けて配置することで、４５度刻みでの磁石２６２の回転検出が可能になる。磁石２６２は磁石ホルダー２６０に一体的に保持されており、磁石ホルダー２６０に形成されている第２のギヤ２６１は第１のギヤ２２２と１：２のギヤ比でかみあっている。すなわち、第１のギヤ２２２が有する歯数は、第２のギヤ２６１が有する歯数の２倍である。これにより、第１のギヤ２２２を一体的に保持しているダイヤル２１０は磁石２６２が４５度回転した際に２２．５度回転する。すなわち、本構成により２個の磁気センサはダイヤル２１０の回転を２２．５度刻みで検出することが可能である。
〔１−２−３．止水構成〕
図６に示したように、電気的な接続が必要な回転検出部３０は止水壁４２を隔ててカメラ内部へ配置される。また、図７に示したように、止水壁４２は弾性部材４１を凹面４２２で圧縮しながら、接触面４２１においてケース１５に螺着される。これにより回転検出部３０の通電部への水の浸入を防ぐことが可能となる。カメラ外部に配置されている回転ダイヤルユニット２０は通電部を有していないので、水が浸入しても著しく性能に影響を及ぼさない。したがって、デジタルカメラの回転ダイヤルユニット２０回りの防滴性能が高まる。
〔１−２−４．回転検出方法〕
図１０に、本実施形態に係る回転ダイヤルの回転検出用の要部回路図を示す。
【００４０】
制御部５００は、デジタルカメラの動作全体を制御する。制御部５００は、デジタルカメラの各構成要素と電気的に接続されるためのポートを複数有している。制御部５００はポートとして汎用ポート５１０と割り込みポート５２０を備える。汎用ポート５１０は、デジタルカメラの各構成要素との情報の入出力において、一般的に使用されるポートである。制御部５００は、汎用ポート５１０から得た情報に対して所定のプログラムを実行するなどの処理を行う。割り込みポート５２０は、制御部５００による通常のプログラムの実行中に割り込んで優先的に処理させるべき情報の通信に用いられる。制御部５００は、通常のプログラムの実行中に、割り込みポート５２０から情報が入力されると、割り込みポート５２０から得られた情報に対して優先的に処理を行う。
【００４１】
回転検出部３０に備えられた磁気センサ３２１，３２２の出力は、デジタルカメラに備えられた制御部５００によってモニタリングされている。ここで、磁気センサ３２１，３２２の出力を直接制御部に入力する場合、両方の磁気センサの出力を割り込みポート５２０に入力しなければ回転検出を行うことができない。しかし、複数の磁気センサの出力の全てを個別の割り込みポートが入力するようにすると、多くの割り込みポートを使用する必要が生じ、設計自由度が低下してしまう。
【００４２】
そこで、本実施形態では、磁気センサ３２１，３２２の出力をＸＯＲ回路５５０に入力し、ＸＯＲ回路５５０の出力のみを割り込みポート５２０に入力する。また、磁気センサ３２１の出力に関しては、汎用ポート５２１にも入力する。これにより、制御部５００は、一つの割り込みポートを用いて複数の磁気センサの出力をモニタリングし、回転検出をすることができる。
【００４３】
図１１に、ＸＯＲ回路５５０の検出方法を示す。
【００４４】
上述したように、一つの磁気センサが検知できる磁石の回転角は９０°である。磁気センサ３２１及び磁気センサ３２２は、磁石２８２が９０°回転するごとに出力をＨｉｇｈとＬｏｗとで切り替える。ここで、磁気センサの出力がＨｉｇｈとなっている時は、磁石２８２の磁束の向きと磁気センサの検出方向とが平行となっている。
【００４５】
磁気センサ３２１及び磁気センサ３２２は、図９に示したように、それぞれの検出方向が回転軸Ｙを中心に４５度傾いた位置関係で配置される。従って、それぞれの磁気センサからの出力は、図１１に示すように、位相が４５°ずれている。これにより、磁気センサ３２１及び磁気センサ３２２の出力の組み合わせは、４通りとなる。すなわち、磁気センサ３２１の出力がＨｉｇｈで磁気センサ３２２の出力がＬｏｗである状態（状態Ａ）、磁気センサ３２１の出力がＨｉｇｈで磁気センサ３２２の出力がＨｉｇｈである状態（状態Ｂ）、磁気センサ３２１の出力がＬｏｗで磁気センサ３２２の出力がＨｉｇｈである状態（状態Ｃ）及び磁気センサ３２１の出力がＬｏｗで磁気センサ３２２の出力がＬｏｗである状態（状態Ｄ）の４通りである。
【００４６】
ＸＯＲ回路５５０の出力は、磁気センサ３２１及び磁気センサ３２２の出力が異なる場合（状態Ａ、状態Ｃ）、Ｈｉｇｈを出力し、磁気センサ３２１及び磁気センサ３２２の出力が同じである場合（状態Ｂ、状態Ｄ）、Ｌｏｗを出力する。これにより、ＸＯＲ回路５５０の出力は４５°毎に切り替わるので、制御部５００は磁石２８２の回転を４５°間隔で検知することができる。
【００４７】
次に、制御部５００の回転方向検出方法について説明する。
【００４８】
図１２（ａ）に、制御部５００が磁石２８２の回転方向を検出するフローチャートを、図１２（ｂ）に制御部５００が磁石２８２の回転方向を検出するテーブルを示す。
【００４９】
制御部５００は、ＸＯＲ回路５５０から割り込み信号が入力されると、磁石２８２が回転したと判断し、図１２（ａ）に示すフローに従って磁石２８２の回転方向を検出する。まず、制御部５００は、Ｓ１０において、回転検出される前の、磁気センサ３２１の出力値を検出する。次に、制御部５００は、Ｓ１０における磁気センサ３２１の出力値に基づいてＳ２１、Ｓ２２に示すようにＸＯＲ回路５５０の出力値を検出する。更に制御部５００は、Ｓ２１、Ｓ２２におけるＸＯＲ回路５５０の検出値に基づいて、Ｓ３１〜Ｓ３４に示すように、磁気センサ３２１の回転後の出力値を検出する。これにより、制御部５００は、磁石２８２が右回りに回転したか左回りに回転したかを検出することができる。
【００５０】
以下、例示によって詳細に説明する。Ｓ１０において、磁気センサ３２１が回転前にＨｉｇｈを出力していたとする。このとき、磁石２８２は回転検出前に状態Ａ又は状態Ｂであったことがわかる。次に、Ｓ２１において回転後のＸＯＲ回路５５０の出力値がＨｉｇｈであったとする。このとき、磁石２８２は回転検出後に状態Ａ又は状態Ｃであることがわかる。すなわち、磁石２８２の回転によって、状態Ｂから状態Ａに遷移したか、或いは状態Ｂから状態Ｃに遷移したかのいずれかが生じたことがわかる。次に、磁気センサ３２１が回転後にＨｉｇｈを出力していたとする。これにより、制御部５００は、磁石２８２の回転によって状態Ｂから状態Ａに遷移したと特定することができる。他の場合も同様に、磁気センサ３２１の回転検出前の出力値、ＸＯＲ回路５５０の回転検出後の出力値、及び磁気センサ３２１の回転検出後の出力値を検出することで、制御部５００は磁石２８２の回転によって生じる状態の遷移を特定し、磁石２８２の回転方向を検知することができる。
【００５１】
なお、上述した例では、制御部５００は、磁気センサ３２１の出力値及びＸＯＲ回路５５０の出力値を図１２（ａ）に示すフローチャートに従って検出し、磁石２８２の回転方向を検知するものとしたが、本開示はこれに限定されるものではない。フローとして、どの情報から先に検出するようにしても構わない。あるいは、図１２（ｂ）に示すテーブルに従って、磁気センサ３２１の回転検出前の出力値、ＸＯＲ回路５５０の回転検出後の出力値、及び磁気センサ３２１の回転検出後の出力値全ての情報から状態遷移および磁石２８２の回転方向を一意に検出するようにしても構わない。
【００５２】
また、上述した例では、制御部５００は、ＸＯＲ回路５５０の検出値に加えて、磁気センサ３２１の回転前後の検出値を用いて磁石２８２の回転を検知するものとしたが、本開示はこれに限定されるものではない。磁気センサ３２１の回転前後の検出値に替えて、磁気センサ３２２の回転前後の検出値を用いて磁石２８２の回転を検知するようにしても構わない。このとき、汎用ポート５１０には磁気センサ３２２の出力値が入力されることが好ましい。
〔２．実施の形態２（図１３）〕
〔２−１．構成〕
図１３は実施の形態２に係るカメラボディ１０の断面図である。本実施形態では、ケース１５の外側をカメラ外部と称し、ケース１５の内側をカメラ内部と称する。回転ダイヤルユニット２０はカメラ外部に配置される。回転検出部３０はケース１５カメラ内部に配置される。すなわち、ケース１５の一部が実施の形態１における止水壁の役割を果たし、回転ダイヤルユニット２０と回転検出部３０はケース１５を隔ててカメラ外部及びカメラ内部に配置される。その他の構成は実施の形態１と同様であるとして説明を省略する。
〔２−２．動作と効果〕
電気的な接続が必要な回転検出部３０はケース１５を隔ててカメラ内部へ配置される。これにより回転検出部３０の通電部への水の浸入を防ぐことが可能となり、デジタルカメラの回転ダイヤルユニット２０回りの防滴性能が高まる。
〔３．他の実施形態〕
以上のように、本出願において開示する技術の例示として、実施の形態１〜２を説明した。しかしながら、本開示における技術は、これに限定されず、変更、置き換え、付加、省略などを行った実施の形態にも適用できる。また、上記実施の形態１〜２で説明した各構成要素を組み合わせて、新たな実施の形態とすることも可能である。
【００５３】
そこで、以下、他の実施の形態を例示する。
【００５４】
実施の形態１、２では、磁気センサを二つ用いるものとしたが、本開示はこれに限定されるものではない。ギヤ比や磁気センサを適宜工夫して、1つ以上の磁気センサを用いて回転ダイヤルユニットの回転を検知するものであれば良い。
【００５５】
実施の形態１、２では第１のギヤと第２のギヤのギヤ比を１：２とするものとしたが、本開示はこれに限定されるものではない。例えば、磁気センサを４５度傾斜で二つ配置し、ギヤ比を１：３として、回転ダイヤルユニットの回転を１５度間隔で検知するものとしても構わない。あるいは、増速機構を用いずに、回転ダイヤルと磁石が同じ速度で回転するものとしても構わない。
【００５６】
実施の形態１、２では、磁石の下方に磁気センサを設けるものとしたが、本開示はこれに限定されるものではない。例えば、実施の形態１において止水壁の上方に磁気センサを設け、磁気センサに対向する位置に磁石を設けるようにしても構わない。または、回転ダイヤルを筐体の側面に平行に配置し、磁石と磁気センサが水平方向に平行に配置されるようにしても構わない。または、デジタルカメラに装着される縦位置グリップ等の外部機器に本開示の回転検出機構を適用しても構わない。
【００５７】
実施の形態１、２では、シャッター速度や絞りの値を使用者が変更するために回転ダイヤルを用いるものとしたが、本開示はこれに限定されるものではない。モードダイヤルやズームレバーなど、回転操作によって使用者が設定等を変更する操作系であれば、本開示は適用可能である。
【００５８】
〔４．総括〕
以上説明したように、本開示における回転ダイヤルは、電気的な接続が必要な回転検出部をカメラ内部に納めることで、通電部に水を浸入させない事が可能である。また、本開示における回転ダイヤルは、ダイヤルと一体に回転する磁石を設けた回転ダイヤルよりも少ない磁気センサを用いて高い分解能での非接触回転検出を行うことが出来る。
【産業上の利用可能性】
【００５９】
本開示に係る回転ダイヤルは、カメラの操作ダイヤルやオーディオのボリュームダイヤルなど、回転式のダイヤルに適用することが可能である。
【符号の説明】
【００６０】
１０    カメラボディ
１１    ボディマウント
１２    レリーズボタン
１３    ＥＶＦ
１４    モニタ
１５    ケース
２０    回転ダイヤルユニット
２１０    ダイヤル
２２０    クリックプレート
２２１    クリック溝
２２２    第１のギヤ
２２３    位置決め突起
２３０    クリックボール
２４０    クリックばね
２５０    ダイヤルホルダー
２５１    ダイヤル軸受
２５２    ばね保持部
２５３    ギヤ台板
２５３１    切欠部
２５３２    ギヤ回転軸
２６０    磁石ホルダー
２６１    第２のギヤ
２６２    磁石
２７０    抜け止め部
３０    回転検出部
３１    基板
３２    磁気センサ
３２１    第１の磁気センサ
３２２    第２の磁気センサ
４１    弾性部材
４２    止水壁
４２１    接触面
４２２    凹面
【図１】
0006357647.tif 000002
【図２】
0006357647.tif 000003
【図３】
0006357647.tif 000004
【図４】
0006357647.tif 000005
【図５】
0006357647.tif 000006
【図６】
0006357647.tif 000007
【図７】
0006357647.tif 000008
【図８】
0006357647.tif 000009
【図９】
0006357647.tif 000010
【図１０】
0006357647.tif 000011
【図１１】
0006357647.tif 000012
【図１２（ａ）】
0006357647.tif 000013
【図１２（ｂ）】
0006357647.tif 000014
【図１３】
0006357647.tif 000015